(57)【要約】【課題】組立中は勿論のこと、市場においても画像読取装置の高さ調整を外装部品等を取り外すことなく簡単に行うことができる画像形成装置を提供すること。【解決手段】箱状構造体である光学フレーム４４内に光学ユニットを収容して成る画像読取装置４を装置本体上部に設置して成る画像形成装置において、互いにテーパ嵌合する一対の楔状調整部材５５，５６の一方（楔状調整部材５５）を画像読取装置の光学フレーム４４底面に固定し、他方（楔状調整部材５６）を装置本体上部にスライド可能に設け、スライド可能な楔状調整部材５６を装置本体外部からの操作によってスライドさせるよう構成する。【選択図】図２
2011035491.tif 000002
【特許請求の範囲】
【請求項１】
箱状構造体である光学フレーム内に光学ユニットを収容して成る画像読取装置を装置本体上部に設置して成る画像形成装置において、互いにテーパ嵌合する一対の楔状調整部材の一方を前記画像読取装置の光学フレーム底面に固定し、他方を前記装置本体上部にスライド可能に設け、該スライド可能な楔状調整部材を装置本体外部からの操作によってスライドさせるよう構成したことを特徴とする画像形成装置。
【請求項２】
前記画像読取装置の光学フレーム底面の四隅の少なくとも１箇所に前記楔状調整部材を固定したことを特徴とする請求項１記載の画像形成装置。
【請求項３】
前記装置本体側に設けられたスライド可能な楔状調整部材に調整ビスの回転によってスライド可能に構成するとともに、該調整ビスの端部を前記装置本体の後面外まで延出し、該端部に調整つまみを設けたことを特徴とする請求項１又は２記載の画像形成装置。
【請求項４】
前記調整ビスを大径部と小径ネジ部とで構成し、小径ネジ部をスライド可能な前記楔状調整部材に挿通し、その先端部を装置本体側に立設された軸受部に螺合せしめるとともに、該小径ネジ部の外周の前記軸受部とスライド可能な前記楔状調整部材との間にバネを縮装したことを特徴とする請求項３記載の画像形成装置。
【請求項５】
前記調整つまみに調整目盛を設けたことを特徴とする請求項３記載の画像形成装置。
【発明の詳細な説明】
【技術分野】
【０００１】
本発明は、画像読取装置を装置本体上部に設置して成る複写機等の画像形成装置に関するものである。
【背景技術】
【０００２】
電子写真方式によって用紙に画像を形成する複写機やプリンタ等の画像形成装置には原稿画像を光学的に読み取るための画像読取装置が設置されるが、この画像読取装置は、一般的には光源やミラー等を備えた光学系キャリッジを有しており、この光学系キャリッジを箱状構造体である光学フレーム内で副走査方向に移動させることによって、ＣＣＤ等の撮像素子によって原稿画像を読み取るよう構成されている。
【０００３】
ところで、斯かる画像読取装置を画像形成装置本体の上部に設置する場合、本体フレーム側の取付部に高い平面度が確保されていないと光学フレームに歪みが発生し易くなる。ここで、光学系キャリッジは、光学フレーム内で副走査方向に移動する際、光学フレーム内に敷設されたガイドレールに沿って移動するため、前述のように光学フレームに歪みが生じると、光学系キャリッジを案内するガイドレールにも歪みが生じ、読取画像信号の精度が低下する。このように読取画像信号の精度が低下すると、読取画像信号に基づいて形成される画像の品質が劣化するという問題が発生する。
【０００４】
そこで、従来は光学フレームの設置面のばらつきを抑えるため、部品単品の精度を上げたり、光学フレーム自体の強度と剛性を上げることによって、該光学フレームの歪みに起因する画像不良（直角度不良）に対応してきた。
【０００５】
又、特許文献１には、画像読取装置を支持する取付台を画像形成装置の本体フレーム上面の左右両端に設け、該取付台の前端部にネジ状の調整部材を設ける構成が提案されている。この構成によれば、調整部材を回すことによってフレーム設置面の高さを調整して画像読取装置の光学フレームにおける歪みの発生を防ぐことができる。
【先行技術文献】
【特許文献】
【０００６】
【特許文献１】特開２００４−２７４６５１号公報
【発明の概要】
【発明が解決しようとする課題】
【０００７】
しかしながら、特許文献１において提案された調整機構では、組立途上で調整部材によるフレーム設置面の高さ調整を行っているため、市場で装置が稼働したときに本体フレームの設置面が均一でなかった場合には、本体フレームが歪むために直角度が変化してしまうと、その変化を容易に矯正することができないという問題があった。このような場合には、カバーの部品を数点外して画像読取装置を装置本体から取り外してからでないと再調整を行うことができず、その作業が容易ではなかった。
【０００８】
本発明は上記問題に鑑みてなされたもので、その目的とする処は、組立中は勿論のこと、市場においても画像読取装置の高さ調整を外装部品等を取り外すことなく簡単に行うことができる画像形成装置を提供することにある。
【課題を解決するための手段】
【０００９】
上記目的を達成するため、請求項１記載の発明は、箱状構造体である光学フレーム内に光学ユニットを収容して成る画像読取装置を装置本体上部に設置して成る画像形成装置において、互いにテーパ嵌合する一対の楔状調整部材の一方を前記画像読取装置の光学フレーム底面に固定し、他方を前記装置本体上部にスライド可能に設け、該スライド可能な楔状調整部材を装置本体外部からの操作によってスライドさせるよう構成したことを特徴とする。
【００１０】
請求項２記載の発明は、請求項１記載の発明において、前記画像読取装置の光学フレーム底面の四隅の少なくとも１箇所に前記楔状調整部材を固定したことを特徴とする。
【００１１】
請求項３記載の発明は、請求項１又は２記載の発明において、前記装置本体側に設けられたスライド可能な楔状調整部材に調整ビスの回転によってスライド可能に構成するとともに、該調整ビスの端部を前記装置本体の後面外まで延出し、該端部に調整つまみを設けたことを特徴とする。
【００１２】
請求項４記載の発明は、請求項３記載の発明において、前記調整ビスを大径部と小径ネジ部とで構成し、小径ネジ部をスライド可能な前記楔状調整部材に挿通し、その先端部を装置本体側に立設された軸受部に螺合せしめるとともに、該小径ネジ部の外周の前記軸受部とスライド可能な前記楔状調整部材との間にバネを縮装したことを特徴とする。
【００１３】
請求項５記載の発明は、請求項３記載の発明において、前記調整つまみに調整目盛を設けたことを特徴とする。
【発明の効果】
【００１４】
請求項１記載の発明によれば、光学フレームの平面度に狂いが生じている場合には、装置本体上部に設けられた楔状調整部材を装置本体外部からの操作によってスライドさせれば、画像読取装置の光学フレーム底面に固定され楔状調整部材が光学フレームと共に上下動して光学フレームの高さが調整されるため、組立中は勿論のこと、市場においても画像読取装置の高さ調整を外装部品等を取り外すことなく簡単に行うことができ、光学フレームにおける歪みの発生を防いで高質画像を安定的に得ることができる。
【００１５】
請求項２記載の発明によれば、画像読取装置の光学フレーム底面の四隅の少なくとも１箇所に固定された楔状調整部材をこれにテーパ嵌合する装置本体側の楔状調整部材に対してスライドさせることによって、光学フレームの四隅の少なくとも１箇所の高さを調整して該光学フレームに高い平面度を確保することができ、光学フレームの歪み（変形）を防ぐことができる。
【００１６】
請求項３記載の発明によれば、装置本体の後面外まで延出する調整ビスの端部に設けられた調整つまみを回すことによって調整ビスを回転させれば、装置本体側の楔状調整部材がスライドし、これにテーパ嵌合する光学フレーム側の楔状調整部材を上下動させて光学フレームの高さを調整することができるため、組立中は勿論のこと、市場においても画像読取装置の高さ調整を外装部品等を取り外すことなく簡単に行うことができる。又、調整つまみが画像形成装置本体の後面外に設けられるため、ユーザーの目につき易い前面や側面に調節つまみが露出することがなく、画像形成装置の外観性が調整つまみによって損なわれることがない。
【００１７】
請求項４記載の発明によれば、調整ビスを何れかの方向に回転させれば、装置本体側の楔状調整部材がスライドして画像読取装置の光学フレームの高さが調整されるが、調整ビスと楔状調整部材とガタツキがバネによって防がれ、画像読取装置の高さ調整をスムーズ且つ正確に行うことができる。
【００１８】
請求項５記載の発明によれば、調整つまみに設けられた調整目盛を読みながら画像読取装置の高さ調整を正確に行うことができる。
【図面の簡単な説明】
【００１９】
【図１】本発明に係る画像形成装置（複合機）の断面図である。
【図２】画像読取装置の高さ調整機構を示す部分側面図である。
【図３】画像読取装置の高さ調整機構の側断面図である。
【図４】画像読取装置の高さ調整機構の一部を破断して示す斜視図である。
【図５】本発明に係る画像形成装置の装置本体後面の部分斜視図である。
【発明を実施するための形態】
【００２０】
以下に本発明の実施の形態を添付図面に基づいて説明する。
【００２１】
図１は本発明に係る画像形成装置の断面図であり、図示の画像形成装置１は、複写機能とプリンタ機能及びファクシミリ機能を兼備した複合機であって、用紙の両面に画像を形成することができる装置である。この画像形成装置１は、装置本体２とその上部に配された自動原稿搬送装置３及び画像読取装置４を備えており、装置本体２の内部上方には、画像形成部５が配され、装置本体２内の下半部には用紙収納部６が配されている。又、装置本体２内の画像形成部５と用紙収納部６の間には転写搬送ユニット７と両面搬送ユニット８が配されており、転写搬送ユニット７には反転手段を構成する反転ローラ３６と反転コロ３７が備えられている。
【００２２】
上記画像読取装置４は、箱状構造体である光学フレーム４４を備えており、この光学フレーム４４の上面にはコンタクトガラス４ａが設けられている。又、光学フレーム４４の内部には、コンタクトガラス４ａ上に載置された不図示の原稿に向けて光を照射して該原稿を照明する光源４５と、原稿にて反射した照射光を９０°方向に反射する第１反射ミラー４６とで構成される第１光学系ユニット４７と、第１反射ミラー４６にて反射した反射光を９０°方向に反射する第２反射ミラー４８と、該第２反射ミラー４８にて反射した反射光を更に９０°方向に反射する第３反射ミラー４９とで構成される第２光学系ユニット５０が不図示のガイドレールに沿って副走査方向（図１の左右方向）に移動可能に収容されている。
【００２３】
更に、光学フレーム４４の内部には結像レンズ５１と撮像素子であるＣＣＤ５２が収容されており、前記第３反射ミラー４９にて反射した原稿からの反射光は、結像レンズ５１によって収束した後にＣＣＤ５２に入射し、該ＣＣＤ５２上に結像される。
【００２４】
前記画像形成部５は、電子写真方式によって画像を形成するものであって、回転可能に配された像担持体としての感光ドラム９と、その周囲に配された帯電器１０、現像装置１１、転写ローラ１２及びクリーニング装置１３の他、現像装置１１に現像剤であるトナーを補給するためのトナーホッパー１４を備えている。尚、画像形成部５の横には、走査光学手段であるレーザースキャナユニット（ＬＳＵ）１５が配置されている。
【００２５】
前記用紙収納部６は、複数枚の用紙が積層収容された着脱可能な４つの給紙カセット１６，１７，１８，１９を備えており、各給紙カセット１６〜１９の近傍には、各給紙カセット１６〜１９内の用紙を上位のものから順次取り出すピックローラ２０と、取り出された用紙を１枚ずつ分離して送り出すフィードローラ２１とリタードローラ２２がそれぞれ配設されている。又、バイパストレイ２３の近傍には、バイパス搬送手段としてのピックローラ２０、フィードローラ２１、リタードローラ２２及び搬送ローラ２４が設けられている。尚、図１において２５，２６，２７は搬送ローラである。
【００２６】
前記転写搬送ユニット７は、用紙収納部６から送り出された用紙を適当なタイミングで画像形成部５へと搬送するとともに、画像形成部５において画像が形成された用紙を不図示の排紙トレイへと排出するものであって、用紙収納部６から画像形成部５に至る第１搬送経路Ｌ１に配置されたレジストローラ２８、前記転写ローラ１２、画像形成部５から排紙手段としての後述の排紙ローラ３１に至る第２搬送経路に設けられた定着装置２９と搬送ローラ３０及び排紙ローラ３１を備えている。ここて、定着装置２９は、圧接状態で互いに回転する定着ローラ２９ａと加圧ローラ２９ｂを備えている。
【００２７】
又、転写搬送ユニット７は画像形成装置本体２に対して着脱可能であって、該転写搬送ユニット７には、第２搬送経路Ｌ２から分岐して両面搬送ユニット８の反転ローラ３６と反転コロ３７に至る横Ｕ字状の第３搬送経路Ｌ３が設けられており、その途中には搬送ローラ３２が設けられている。又、転写搬送ユニット７には前記第３搬送経路Ｌ３とは別に反転搬送経路Ｌ３’が第２搬送経路Ｌ２から分岐して下方に延びており、その途中には搬送ローラ３３が設けられている。そして、第２搬送経路Ｌ２と第３搬送経路Ｌ３との分岐部には、用紙の搬送方向を切り換えるためのフラッパ３４が回動可能に設けられている。
【００２８】
前記両面搬送ユニット８は、画像形成部５において画像が形成された用紙の表裏を反転させるものであって、前記第３搬送経路Ｌ３と反転搬送経路Ｌ３’に連なる中間トレイ３５とその下方に配された第４搬送経路Ｌ４を備えており、中間トレイ３５には、正逆転可能な反転ローラ３６と、該反転ローラ３６に対して圧接／離間する反転コロ３７が設けられている。
【００２９】
又、両面搬送ユニット８には大径の再給紙ローラ３８が回転可能に設けられており、この再給紙ローラ３８の外周には小径のローラ３９，４０が回転可能に当接している。尚、再給紙ローラ３８には不図示の一方向クラッチが設けられている。そして、反転手段を構成する前記反転ローラ３６と反転コロ３７からは第１搬送経路Ｌ４が延びており、この第４搬送経路Ｌ４は前記第１搬送経路Ｌ１に合流している。
【００３０】
上記第４搬送経路Ｌ４には、互いに当接する搬送ローラ４２と搬送コロ４１が用紙搬送方向に沿って３組設けられている。又、再給紙ローラ３８の近傍には、中間トレイ３５に一旦引き込まれた用紙の搬送方向を切り換えるためのフラッパ４３が回動可能に設けられている。尚、本実施の形態では、両面搬送ユニット８の第４搬送経路Ｌ４には、２枚以上の用紙を保留可能な２つ以上の用紙保留位置が備えられている。
【００３１】
次に、以上の構成を有する画像形成装置１の画像形成動作について説明する。
【００３２】
例えば、自動原稿搬送装置３の原稿トレイ３ａにセットされた原稿が原稿読取部であるコンタクトガラス４ａ上に自動的に搬送され、その原稿の画像が画像読取装置４によって光学的に読み取られる。即ち、第１光学系ユニット４７と第２光学系ユニット５０が不図示のガイドレールに沿って副走査方向（図１の左右方向）に移動しながらコンタクトガラス４ａ上に載置された不図示の原稿を走査すると、第１光学系ユニット４７の光源４５から原稿に向けて照射された光は原稿にて反射し、その反射光は第１光学系ユニット４７の第１反射ミラー４６にて９０°方向に反射する。そして、この光は、第２光学系ユニット５０の第２反射ミラー４８と第３反射ミラー４９にて９０°方向にそれぞれ反射し、結像レンズ５１によって収束した後にＣＣＤ５２に入射し、該ＣＣＤ５２によって読み取られる。
【００３３】
上述のようにして原稿の画像が画像読取装置４によって光学的に読み取られると、画像形成部５においては、感光ドラム９が不図示の駆動手段によって図１の矢印方向（時計方向）に回転駆動され、その表面が帯電器１０によって所定の電位に一様に帯電される。そして、画像読取装置４から送信される画像データに基づくレーザー光がレーザースキャナユニット１５から出力されて感光ドラム９上に照射されると、該感光ドラム９上に静電潜像が形成される。そして、この感光ドラム９上に形成された静電潜像は、現像装置１１によってトナーを用いて現像されてトナー像として可視像化される。
【００３４】
ところで、カセット給紙を行う場合、用紙収納部６の例えば給紙カセット１６内に収容された用紙は、ピックローラ２０によって最上位のものから１枚ずつピックアップされ、フィードローラ２１とリタードローラ２２によって１枚ずつ分離されて搬送ローラ２５，２６によって第１搬送経路路Ｌ１をレジストローラ２８へと搬送される。そして、レジストローラ２８においては、用紙は、一時待機状態とされた後、感光ドラム９上のトナー像に同期する所定のタイミングで画像形成部５へと供給される。
【００３５】
画像形成部５においては、感光ドラム９と転写ローラ１２との間の転写ニップへと供給された用紙は、転写ローラ１２によって感光ドラム９に押し付けられながら搬送されることによって、その表面（第１面）に感光ドラム９上のトナー像が転写される。そして、トナー像が転写された用紙は、定着装置２９へと搬送され、この定着装置２９の定着ローラ２９ａと加圧ローラ２９ｂ間の定着ニップを通過する過程で加熱及び加圧されてトナー像の定着を受ける。尚、用紙へのトナー像の転写後に感光ドラム９の表面に残留するトナー（転写残トナー）はクリーニング装置１３によって除去される。
【００３６】
而して、定着装置２９にて表面にトナー像が定着された用紙は、フェースアップ排紙（ＦＵ排紙）が選択されている場合には、フラッパ３４によってその搬送方向が決定され、用紙は第２搬送経路Ｌ２をそのまま排紙ローラ３１に向かって搬送され、排紙ローラ３１によって画像面を上にして不図示の排紙トレイへと排出される。
【００３７】
一方、フェースダウン排紙（ＦＤ排紙）又は両面画像モードが選択された場合には、フラッパ３４が動作して用紙の搬送方向が切り換えられ、定着装置２９を通過した用紙は横Ｕ字状の第３搬送経路Ｌ３を通って両面搬送ユニット８へと搬送される。
【００３８】
両面搬送ユニット８においては、反転コロ３７は反転ローラ３６から離間した状態で待機しており、用紙が両面搬送ユニット８に或る一定以上送られると、反転コロ３７は反転ローラ３６に圧接される。このように反転コロ３７が反転ローラ３６に圧接されると、反転ローラ３６が正転されて用紙が送られてきた方向に引き込まれ、用紙が或る一定以上引き込まれると反転ローラ３６が逆転されて用紙がスイッチバックされて反転搬送経路Ｌ３’又は第４搬送経路Ｌ４へと送られる。即ち、フェースダウン排紙が選択されている場合には、フラッパ４３によって用紙の搬送方向が反転搬送経路Ｌ３’へと切り換えられ、用紙は画像面を下にした状態で排紙ローラ３１によって不図示の排紙トレイへと排出される。
【００３９】
又、両面画像モードが選択されている場合には、フラッパ４３によって用紙の搬送方向が第４面搬送経路Ｌ４の方向に切り換えられ、用紙は、再給紙ローラ３８と反転コロ４１及び搬送ローラ４２によって第４搬送経路Ｌ４を画像面を上にして搬送され、第４搬送経路Ｌ４から第１搬送経路Ｌ１へと受け渡されることによって表裏が反転されて画像面を下にした状態でレジストローラ２８へと送られる。そして、以後は前述と同様のプロセスを経て用紙の反対面（第２面）にトナー像が形成され、このトナー像が形成された用紙は、定着装置２９によってトナー像の定着を受けた後に排紙ローラ対３１によって不図示の排紙トレイへと排出され、該用紙の両面に画像が形成される。
【００４０】
尚、以上はカセット給紙を行う場合について説明したが、手差し給紙を行う場合には、バイパストレイ２３上にセットされた用紙は、ピックローラ２０によって最上位のものから１枚ずつピックアップされ、フィードローラ２１とリタードローラ２２によって１枚ずつ分離されて搬送ローラ２４によって第１搬送経路Ｌ１をレジストローラ２８へと搬送され、以後は前記と同様のプロセスを経て該用紙に画像が形成される。
【００４１】
次に、前記画像読取装置４の高さ調整機構を図２〜図５に基づいて説明する。
【００４２】
図２は画像読取装置の高さ調整機構を示す部分側面図、図３は同高さ調整機構の側断面図、図４は同高さ調整機構の一部を破断して示す斜視図、図５は画像形成装置の装置本体後面の部分斜視図である。
【００４３】
図２に示すように、画像読取装置４は装置本体２の本体フレーム５３上に水平に設置されるが、これに高い平面度を確保するため、その光学フレーム４４の底面の四隅の１箇所が高さ調整機構５４によって装置本体２の外部からの操作によって高さ調整される。尚、光学フレーム４４の底面の四隅のうちの他の３箇所は、不図示のヘッダピンによって装置本体２に上下方向に所定の範囲で移動可能に固定されているため、四隅の１箇所を高さ調整機構５４にて調整することによって他の３箇所の高さは高さ調整機構５４による高さ調整に追随する構成となっている。
【００４４】
即ち、本実施の形態では、高さ調整機構５４は装置本体２の後部に設置され、互いにテーパ嵌合する一対の楔状調整部材５５，５６を備えており、一方の楔状調整部材５５は、画像読取装置４の光学フレーム４４底面の四隅の後方側（図２の左側）１箇所に固定されている。又、他方の楔状調整部材５６は、本体フレーム５３上に前後方向（図２の左右方向）にスライド可能に設けられている。
【００４５】
スライド可能な上記楔状調整部材５６は、上面が開口する矩形ボックス状のボックス部５６Ａとその先端に一体に設けられた楔状部５６Ｂとで構成されており、楔状部５６Ｂに光学フレーム４４の底面に固定された楔状調整部材５５がテーパ嵌合している。そして、図３及び図４に示すように、楔状調整部材５６のボックス部５６Ａの底面には矩形の開口部５６ａが形成されており、この開口部５６ａには本体フレーム５３に立設されたプレート状の軸受部５７が下方から挿通している。従って、楔状調整部材５６は、ボックス部５６Ａの開口部５６ａ内で軸受部５７が相対移動可能な範囲で前後方向にスライドすることができる。
【００４６】
又、図３に示すように、スライド可能な楔状調整部材５６の端面には円孔５６ｂが形成されており、この円孔５６ｂには回転可能な調整ビス５８が挿通している。ここで、調整ビス５８は大径部５８Ａとその先端に形成された小径ネジ部５８Ｂとで大小異径に構成されており、小径ネジ部５８Ｂは楔状調整部材５６の端面に形成された前記円孔５６ｂを貫通して楔状調整部材５６のボックス部５６Ａの内部に臨み、その先端は本体フレーム５３に立設された前記軸受部５７に進退可能に螺合している。又、調整ビス５８の大径部５８Ａは小径ネジ部５８Ｂとの境である端面（段部）が楔状調整部材５６の端面に当接している。そして、調整ビス５８の小径ネジ部５８Ｂの外周の軸受部５７と楔状調整部材５６の端面との間にはバネ５９が縮装されており、調整ビス５８と楔状調整部材５６はバネ５９によって後方（図３の左方）に常時付勢されている。
【００４７】
ところで、調整ビス５８の端部は装置本体２の後面外まで延出しており、その端部には調整つまみ６０が設けられ、図５に示すように、この調整つまみ６０は、装置本体２の後面カバー６１に形成された円穴の凹部６１ａ内に収容されている。そして、図４及び図５に示すように、調整つまみ６０の端面の外周部には調整目盛り６２が設けられており、端面の中心部にはドライバ等の工具が嵌合するための十字穴６３が形成されている。
【００４８】
而して、画像読取装置４の光学フレーム４４の平面度に狂いが生じている場合には、装置本体２の後面カバー６１の凹部６１ａに露出する調節つまみ６０を回すことによって楔状調整部材５６を本体フレーム５３上でスライドさせれば光学フレーム４４の高さ調整を行うことができる。
【００４９】
即ち、調整つまみ６０の端面の中心部に形成された十字穴６３にドライバ等の工具の先端を嵌合させて調整ビス５８を何れかの方向に回転させると、小径ネジ部５８Ｂが本体フレーム５３の軸受部５７に螺合する調整ビス５８が楔状調整部材５６と共に前後にスライドし、楔状調整部材５６にテーパ嵌合する他方の楔状調整部材５５が光学フレーム４４と共に上下動して該光学フレーム４４の高さが調整される。具体的には、調整ビス５８を回転させてその小径ネジ部５８Ｂを本体フレーム５３の軸受部５７にネジ込んでこれを図２の矢印ａ方向に前進させると、楔状調整部材５６も同方向にスライドし、該楔状調整部材５６にテーパ嵌合する他方の楔状調整部材５５が画像読取装置４の光学フレーム４４と共に図２の矢印ｃ方向に上動するため、光学フレーム４４の高さが高く調整される。これとは逆に、調整ビス５８を逆方向に回転させれば、その小径ネジ部５８Ｂが本体フレーム５３の軸受部５７から外れる方向（図２の矢印ｂ方向）に後退するが、楔状調整部材５６はバネ５９によって常時後方に付勢されているため、この楔状調整部材５６は調整ビス５８と一体的に図２の矢印ｂ方向にスライドする。このため、楔状調整部材５６にテーパ嵌合する他方の楔状調整部材５５が画像読取装置４の光学フレーム４４と共に図２の矢印ｄ方向に下動し、光学フレーム４４の高さが低く調整される。この高さ調整は調整つまみ６０の端面に表示された調整目盛り６２を読みながらなされるため、調整目盛り６２の１目盛りを例えば０．２ｍｍの高さ調整代に設定することによって画像読取装置４の高さ調整を正確に行うことができる。
【００５０】
以上のように、本実施の形態では、画像読取装置４の光学フレーム４４の平面度に狂いが生じている場合には、本体フレーム５３上に設けられた楔状調整部材５６を装置本体２の外部（後面）から調整つまみ６０を用いて調整ビス５８を回転させることによって前後方向にスライドさせれば、画像読取装置４の光学フレーム４４の底面に固定され楔状調整部材５５が光学フレーム４４と共に上下動して光学フレーム４４の高さが調整されるため、組立中は勿論のこと、市場においても画像読取装置４の高さ調整を外装部品等を取り外すことなく簡単に行うことができ、光学フレーム４４における歪みの発生を防いで高質画像を安定的に得ることができる。尚、本実施の形態では、スライド可能な楔状調整部材５６と調整ビス５８をバネ５９によって常時後方に付勢したため、高さ調整時に両者のガタツキが防がれ、画像読取装置４の高さ調整をスムーズ且つ正確に行うことができる。
【００５１】
尚、本実施の形態では、本発明を複合機に対して適用した例について説明したが、本発明は、単体としての複写機、プリンタ、ファクシミリ等に対しても同様に適用可能であることは勿論である。
【符号の説明】
【００５２】
１          画像形成装置
２          画像形成装置本体
３          自動原稿搬送装置
３ａ        原稿トレイ
４          画像読取装置
４ａ        コンタクトガラス
５          画像形成部
６          用紙収納部
７          転写搬送ユニット
８          両面搬送ユニット
９          感光ドラム
１０        帯電器
１１        現像装置
１２        転写ローラ
１３        クリーニング装置
１４        トナーホッパー
１５        レーザースキャナユニット（ＬＳＵ）
１６〜１９  給紙カセット
２０        ピックローラ
２１        フィードローラ
２２        リタードローラ
２３        バイパストレイ
２４〜２７  搬送ローラ
２８        レジストローラ
２９        定着装置
２９ａ      定着ローラ
２９ｂ      加圧ローラ
３０        搬送ローラ
３１        排紙ローラ
３２，３３  搬送ローラ
３４        フラッパ
３５        中間トレイ
３６        反転ローラ
３７        反転コロ
３８        再給紙ローラ
３９，４０  ローラ
４１        搬送コロ
４２        搬送ローラ
４３        フラッパ
４４        光学フレーム
４５        光源
４６        第１反射ミラー
４７        第１光学系ユニット
４８        第２反射ミラー
４９        第３反射ミラー
５０        第２光学系ユニット
５１        結像レンズ
５２        ＣＣＤ
５３        本体フレーム
５４        高さ調整機構
５５，５６  楔状調整部材
５６Ａ      楔状調整部材のボックス部
５６Ｂ      楔状調整部材の楔状部
５６ａ      楔状調整部材の開口部
５６ｂ      楔状調整部材の円孔
５７        本体フレームの軸受部
５８        調整ビス
５８Ａ      調整ビスの大径部
５８Ｂ      調整ビスの小径ネジ部
５９        バネ
６０        調整つまみ
６１        後面カバー
６１ａ      後面カバーの凹部
６２        調整つまみ調整目盛り
６３        調整つまみの十字穴
Ｌ１        第１搬送経路
Ｌ２        第２搬送経路
Ｌ３        第３搬送経路
Ｌ３’      反転搬送経路
Ｌ４        第４搬送経路
【図１】
2011035491.tif 000003
【図２】
2011035491.tif 000004
【図３】
2011035491.tif 000005
【図４】
2011035491.tif 000006
【図５】
2011035491.tif 000007